(57)【要約】【課題】戸当たりを目立たなくして意匠性を向上させた室内建具を提供すること。【解決手段】開口部に配置される枠材３及び枠材３の内側に開閉可能に取り付けられる戸体１０を有するドア１であって、枠材３は、開口部の見込面内に沿って配置される平面部３１１と、平面部３１１に配置される戸当たりを取り付ける戸当たり溝３１２と、を有し、縦枠戸当たり６１は、縦枠戸当たり６１の見込方向に沿う内側面から連続して一方側に突出し、開口部の見込面における一方側の面との間に見込壁パネル５５０を配置可能な壁板被覆部６１３を有する、ドア１である。【選択図】図２
2019148148.tif 000002
【特許請求の範囲】
【請求項１】
開口部に配置される枠材及び前記枠材の内側に開閉可能に取り付けられる戸体を有する室内建具であって、
前記枠材は、
前記開口部の見込面内に沿って配置される枠材見込面と、
前記枠材見込面に配置される戸当たりを取り付ける戸当たり取付部と、を有し、
前記戸当たりは、前記戸当たりの見込方向に沿う内側面から連続して一方側に突出し、前記開口部の見込面における一方側の面との間に壁板を配置可能な壁板被覆部を有する、室内建具。
【請求項２】
前記枠材は、前記枠材見込面から延出して前記壁板被覆部と反対の見込方向の他方側に突出する突出部を有する請求項１に記載の室内建具。
【請求項３】
前記壁板被覆部の一方側の端部は、前記開口部の見込面に向かって屈曲し、前記開口部の見込面に配置される前記壁板に対面する壁板被覆部側屈曲部を有することを特徴とする、請求項１又は２に記載の室内建具。
【請求項４】
前記戸当たり取付部は、前記枠材の長手方向に沿って形成される溝部により構成される、請求項１又は２に記載の室内建具。
【請求項５】
上下方向に延びる一対の縦枠と、前記縦枠に取り付けられて開閉される戸体と、を有する室内用のドアである、請求項１〜３のいずれか１項に記載の室内建具。
【発明の詳細な説明】
【技術分野】
【０００１】
本発明は、室内建具に関する。
【背景技術】
【０００２】
従来、室内の開口部に建具を取り付ける際、開口部の周囲に枠材が設けられる。枠材は、戸体が配置された状態でも戸体の周囲で露出する。そこで、枠材を開口部の見込面よりも見込方向の外側に突出させて、突出させた端部に壁板等の板材を納めることで、枠材の露出を目立たなくする構造が提案されている（例えば、特許文献１参照）。
【０００３】
一方、枠材には、戸体の開動作を規制し、戸体が閉められる際枠材に当たる衝撃を緩衝するため、枠材の見込方向略中央部に、枠材に沿って戸当たりが設けられている。
【先行技術文献】
【特許文献】
【０００４】
【特許文献１】特開２０１６−２０５５５号公報
【発明の概要】
【発明が解決しようとする課題】
【０００５】
戸当たりは、枠材における見込面から見付方向内側に突出して配置される。このため、枠材の露出を低減させても、戸当たりが見付方向内側に突出し、戸体を開くと視認される。このため、枠材の露出を目立たなくしても、戸当たりが露出することで、意匠性をさらに向上させることが難しかった。
【０００６】
本発明は、戸当たりを目立たなくして意匠性を向上させた室内建具を提供することを目的とする。
【課題を解決するための手段】
【０００７】
本発明は、開口部に配置される枠材（例えば、後述の枠材３）及び前記枠材の内側に開閉可能に取り付けられる戸体（例えば、後述の戸体１０）を有する室内建具（例えば、後述のドア１）であって、前記枠材は、前記開口部の見込面内に沿って配置される枠材見込面（例えば、後述の平面部３１１）と、前記枠材見込面に配置される戸当たり（例えば、後述の縦枠戸当たり６１）を取り付ける戸当たり取付部（例えば、後述の戸当たり溝３１２）と、を有し、前記戸当たりは、前記戸当たりの見込方向に沿う内側面から連続して一方側に突出し、前記開口部の見込面における一方側の面との間に壁板を配置可能な壁板被覆部（例えば、後述の壁板被覆部６１３）を有する、室内建具に関する。
【０００８】
前記枠材は、前記枠材見込面から延出して前記壁板被覆部と反対の見込方向の他方側に突出する突出部（例えば、後述の突出部３１５ａ）を有することが好ましい。
【０００９】
前記壁板被覆部の一方側の端部は、前記開口部の見込面に向かって屈曲し、前記開口部の見込面に配置される前記壁板（例えば、後述の見込壁パネル５５０）に対面する壁板被覆部側屈曲部（例えば、後述の壁板被覆部側屈曲部６１３ｂ）を有することが好ましい。
【００１０】
前記戸当たり取付部は、前記枠材の長手方向に沿って形成される溝部により構成されることが好ましい。
【００１１】
上下方向に延びる一対の縦枠（例えば、後述の縦枠３１）と、前記縦枠に取り付けられて開閉される戸体と、を有する室内用のドアであることが好ましい。
【発明の効果】
【００１２】
本発明によれば、戸当たりを目立たなくして意匠性を向上させた室内建具を提供することができる。
【図面の簡単な説明】
【００１３】
【図１】本実施形態の室内建具の正面図である。
【図２】図１のＡ−Ａ断面の拡大図である。
【図３】本実施形態の室内建具の上枠側の納まりを示す断面図である。
【図４】他の実施形態の室内建具の拡大断面図である。
【図５】さらに他の実施形態の垂壁納まりの上枠側を示す断面図である。
【発明を実施するための形態】
【００１４】
以下、本発明の実施形態について図面を参照しながら詳しく説明する。
なお、本明細書において、「見付方向」とは、建物に形成された開口部を正面から見た場合の左右方向を意味し、「見込方向」とは、開口部を介して連続する二つの空間の手前側と奥側を結ぶ室内外方向を意味する。
【００１５】
図１は、本実施形態の室内建具としてのドア１の正面図である。ドア１は、床面５４から天井５１まで上下方向一杯に延びる天井納まりの建具である。ドア１は躯体２、天井５１、床面５４及び壁５３で囲まれる開口部に配置される。
躯体２は、上下方向に延び、互いに離間する一対の柱２１と、一対の柱２１同士を連結する梁２２と、を有する。
天井５１は、室内上部で床面５４に対向するように延びる天井パネル５１０により構成される。天井パネル５１０は、梁２２の下端側に位置する野縁２３に固定される。
壁５３は、開口部の周囲に上下方向に延びるように配置され、柱２１の見付面に取り付けられる壁板としての壁パネル５３０や、開口部の見込面で、戸体１０の開閉方向の奥側に取り付けられる壁板としての見込壁パネル５５０（図２参照）を含む。
床面５４は、天井パネル５１０に対向して配置される床パネル５４０により構成される。
【００１６】
ドア１は、開口部に配置される枠材３と、戸当たりとしての縦枠戸当たり６１と、上枠戸当たり６２と、戸体１０とを有する。
戸体１０は、枠材３の内側に開閉可能に取り付けられ、見付方向の一方側に片開きで配置される板体である。戸体１０の縦方向の長さは、本実施形態では、１７００〜２５００ｍｍ程度である。
枠材３は、一対の縦枠３１及び上枠３２を有する。上枠３２及び縦枠３１は、それぞれアルミで構成される。
縦枠戸当たり６１及び上枠戸当たり６２は、枠材３に取り付けられ、樹脂により構成される。
【００１７】
図２は、図１のＡ−Ａ断面図であり、平納まりの配置を図示している。図２を参照して、まず縦枠３１及び縦枠戸当たり６１について説明する。
縦枠３１は、上枠３２の見付方向の左右の端部から床面５４に向かって上下に延びるように、柱２１に一対取り付けられる。
図２に示すように、縦枠３１は、枠材見込面としての平面部３１１と、戸当たり取付部としての戸当たり溝３１２と、平面支持部３１３と、壁パネル被覆部３１５と、を有する。
【００１８】
平面部３１１は、開口部の見込面内に沿って配置され、戸体１０の見込面に向き合う平坦な部分である。戸体１０の吊元側に位置する縦枠３１の平面部３１１には、戸体１０のヒンジ部が取り付けられる。
【００１９】
戸当たり溝３１２は、平面部３１１の見込方向の一方側に配置される。戸当たり溝３１２は、平面部３１１から、平面部３１１に直交する方向に屈曲し、略コ字状の断面を形成する溝部である。戸当たり溝３１２は、平面部３１１から見付方向外側に窪み、縦枠３１の長手方向の全長に沿って形成される。戸当たり溝３１２は、後述する縦枠戸当たり６１を嵌め込むための溝部であり、縦枠戸当たり６１を開口部の見込面より見付方向内側で支持する。戸当たり溝３１２は、その底部３１２ａが平面部３１１と平行する方向に延び、側壁部３１２ｂが底部３１２ａに直交する方向に延びる。側壁部３１２ｂの一方側には、見込壁パネル５５０や合板５６０の木口面が近接する。側壁部３１２ｂにより、見込壁パネル５５０や合板５６０の木口面が隠される。
【００２０】
平面支持部３１３は、平面部３１１の裏側（柱２１側）に配置される。平面支持部３１３は、支持部底部３１３ａと、支持側壁部３１３ｂとを有する。支持部底部３１３ａは、平面部３１１が延びる方向と同じ方向に沿って形成され、部分的に柱２１に当接するように突出する突起３１３ｃを有する。支持側壁部３１３ｂは、戸当たり溝３１２の側壁部３１２ｂと対向し、平面部３１１に直交するように延びる。平面部３１１と、戸当たり溝３１２の側壁部３１２ｂと、支持部底部３１３ａと、支持側壁部３１３ｂとにより、略長方形の中空部３１４が形成されている。
【００２１】
壁パネル被覆部３１５は、突出部３１５ａと、突出部側屈曲部３１５ｂと、を有する。
突出部３１５ａは、平面部３１１から延出し、開口部の見込方向における他方側、すなわち平面部３１１における戸当たり溝３１２が配置されない側で、開口部の見込面の端部を越えて、外側に突出する。突出部３１５ａは、平面部３１１から連続的に延出する。
突出部側屈曲部３１５ｂは、突出部３１５ａの他方側の端部が、平面部３１１の裏側に向かって屈曲し、さらに戸当たり溝３１２側に向かって屈曲し、断面視略コ字状に形成される。図２に示すように、平面支持部３１３の支持側壁部３１３ｂと、突出部側屈曲部３１５ｂの端部との間には隙間が形成され、この隙間に壁パネル５３０が位置する。突出部３１５ａが平面部３１１の裏側に配置される壁パネル５３０の見込面に対面するように延出し、突出部側屈曲部３１５ｂが壁パネル５３０の表面に面するように屈曲することで、壁パネル被覆部３１５により壁パネル５３０の端部が被覆される。
【００２２】
縦枠戸当たり６１は、平面部３１１の一方側の端部（壁パネル被覆部３１５が形成されない側の端部）に配置される戸当たり溝３１２に係止させて取り付けられる。縦枠戸当たり６１は、縦枠３１の見付方向に内側に突出する。縦枠戸当たり６１は、戸体１０の開閉が９０度内で収まるように、戸体１０の戸先側端部に当接可能に突出し、戸体１０の回転を止める部材である。縦枠戸当たり６１は、本体部６１０と、係止爪６１１と、ヒレ部６１２と、壁板被覆部６１３と、を有する。
【００２３】
本体部６１０は、断面視略四角形のホロー構造を有する。本体部６１０は、縦枠３１の見込面よりも、見付方向内側に突出して配置される。本体部６１０が見付方向内側に突出することにより、戸体１０が閉じられたときに、戸体１０の戸先側端部に対向して配置される。本体部６１０は、縦枠戸当たり６１が取り付けられた状態で見込方向に延びる一対の見込面６１０ａ及び見付方向に延びる一対の見付面６１０ｂを有する。一対の見付面６１０ｂのうち、見込方向の一方側に配置される見付面６１０ｂには、見込壁パネル５５０が近接する。一方側の見付面６１０ｂは、戸当たり溝３１２の側壁部３１２ｂと面一になるように配置され、側壁部３１２ｂとともに見込壁パネル５５０の木口面を覆い隠すように位置している。
【００２４】
係止爪６１１は、縦枠の戸当たり溝３１２に挿入されて係止可能な一対の凸部である。係止爪６１１は、本体部６１０における、取り付けられた状態で見付方向外側に配置され、一対の凸部のそれぞれが互いに離間し、向き合って配置される。係止爪６１１は、弾性変形可能に形成され、戸当たり溝３１２の一対の側壁部３１２ｂの内側に嵌まって当接し、縦枠戸当たり６１を戸当たり溝３１２内に保持する。
【００２５】
ヒレ部６１２は、本体部６１０における戸体１０の戸先と対向する側に配置される。ヒレ部６１２は、ゴム等の弾性部材で形成され、戸体１０が勢いよく閉じられたとき等の衝撃を緩衝する。
【００２６】
壁板被覆部６１３は、壁板被覆部内側面６１３ａと、壁板被覆部側屈曲部６１３ｂと、壁板被覆部外側面６１３ｃと、を有する。壁板被覆部６１３は、本体部６１０の見込方向の一方側で見付方向に延びる見付面６１０ｂと、壁板被覆部内側面６１３ａ、壁板被覆部側屈曲部６１３ｂ、壁板被覆部外側面６１３ｃとの四面によりホロー構造に形成されている。
壁板被覆部内側面６１３ａは、本体部６１０と一体に形成されて本体部６１０の見込方向に沿う内側面から連続し、縦枠３１の平面部３１１の一方側に突出する。上述の通り、本体部６１０は戸当たり溝３１２に係止されており、戸当たり溝３１２は柱２１に当接していて、開口部の見込面より見付方向内側で本体部６１０を支持している。このため、壁板被覆部内側面６１３ａと、柱２１の見込面における一方側の面との間には、幅狭の見込壁パネル５５０を配置可能な隙間が形成されている。この隙間には、見込壁パネル５５０だけでなく、見込壁パネル５５０の位置を調整する合板５６０も配置されている。
【００２７】
壁板被覆部側屈曲部６１３ｂは、壁板被覆部６１３の見込方向の一方の端部が柱２１の見込面に向かって屈曲することで形成される。壁板被覆部側屈曲部６１３ｂは、その先端が壁板としての見込壁パネル５５０に対面する。
【００２８】
壁板被覆部外側面６１３ｃは、壁板被覆部側屈曲部６１３ｂの見込壁パネル５５０側の端部と、本体部６１０の見付面６１０ｂとを結ぶように延びる面であり、壁板被覆部内側面６１３ａに対して見付方向外側に位置する。壁板被覆部外側面６１３ｃは、見込壁パネル５５０の見込面に沿うように延び、壁板被覆部外側面６１３ｃと本体部６１０の見付面６１０ｂが形成する角部に、見込壁パネル５５０の角部が配置される。この配置によれば、戸体１０を開閉した際、戸体１０が縦枠戸当たり６１に当たった場合に、戸体１０から生じる衝突の力が壁板被覆部外側面６１３ｃに沿う見込方向と本体部６１０の見付面６１０ｂに沿う見付方向の両方に分散し、衝撃が緩衝される。
【００２９】
縦枠戸当たり６１は、縦枠３１と同じ化粧シート３３でラッピングされており、縦枠戸当たり６１と縦枠３１とに一体感が形成されている。
【００３０】
なお、図示を省略するが、縦枠３１の上端部には、端部ピースが嵌合される。端部ピースは、縦枠３１の上端部と天井パネル５１０等との間の隙間を塞ぐように上下方向にスライドさせて取り付けられる。
【００３１】
図３は、本実施形態のドア１の上枠３２の納まりを示す図である。図３を参照して、上枠３２及び上枠戸当たり６２について説明する。
上枠３２は、開口部の上部の見付方向に延びる。上枠３２は、梁２２に固定されるとともに、天井パネル５１０の端部を被覆する。
上枠３２は、平面部３２１と、戸当たり溝３２２と、平面支持部３２３と、壁パネル被覆部３２５と、を有する。上枠３２は、壁パネル被覆部３２５が見込方向の一方及び他方の両方に形成されている点で縦枠３１と異なる。
【００３２】
平面部３２１は、開口部の内面側を向き、戸体１０の見込面に向き合う平坦な部分である。
戸当たり溝３２２は、平面部３２１から、平面部３２１に直交する方向に屈曲し、略コ字状の断面を形成する凹部である。戸当たり溝３２２は、後述する上枠戸当たり６２を嵌め込むための溝部であり、上枠戸当たり６２を開口部の見込面より下側で支持する。戸当たり溝３２２は、その底部３２２ａが平面部３２１と平行する方向に延び、側壁部３２２ｂが底部３２２ａ及び平面部３２１に略直交する方向に延びる。戸当たり溝３２２は、上枠３２の縦方向の全長に沿って延びる。底部３２２ａは、上枠３２においては、柱２１と当接している。
【００３３】
平面支持部３２３は、平面部３２１の裏側（梁２２側）に配置される。平面支持部３２３は、梁側当接部３２３ａと、支持側壁部３２３ｂとを有する。梁側当接部３２３ａは、平面部３２１が延びる方向と同じ方向に沿って形成される平坦な面を有する。支持側壁部３２３ｂは、戸当たり溝３２２の側壁部３２２ｂと対向し、平面部３２１に直交するように延びる。平面部３２１と、戸当たり溝３２２の側壁部３２２ｂと、梁側当接部３２３ａと、支持側壁部３２３ｂとにより、略長方形の中空部３２４が形成されている。
【００３４】
図３に示すように、天井パネル５１０は野縁２３に固定され、２枚の天井パネル５１０が隣接して配置されている。隣接する天井パネル５１０同士の間に、上枠３２の平面部３２１、戸当たり溝３２２、平面支持部３２３が配置される。
【００３５】
壁パネル被覆部３２５は、上枠３２の見込方向の一方及び他方にそれぞれ突出部３２５ａと、突出部側屈曲部３２５ｂと、を有する。
突出部３２５ａは、平面部３２１及び戸当たり溝３２２から、見込方向の一方と他方に外側へ向かってに突出する。突出部３２５ａは、一方側では、平面部３２１と同じ高さで延出する。突出部３２５ａは、他方側では、平面部３２１から連続的に延出する。
突出部側屈曲部３２５ｂは、突出部３２５ａの端部から梁２２側に向かって屈曲する。図３に示すように、突出部側屈曲部３２５ｂの端部は、天井パネル５１０の表面に対面する。突出部３２５ａが天井パネル５１０の面に沿って突出し、突出部側屈曲部３２５ｂが、天井パネル５１０の端部に対面することで、天井パネル５１０の端部が被覆される。
【００３６】
上枠戸当たり６２は、上枠３２の戸当たり溝３２２に係止するように取り付けられ、上枠３２の下方に突出する。上枠戸当たり６２は、戸体１０の開閉が９０度内で収まるように、戸体１０の戸先側端部に当接可能に突出し、戸体１０の回転を止める部材である。上枠戸当たり６２は、本体部６２０と、係止爪６２１と、を有する。
【００３７】
本体部６２０は、断面視略四角形のホロー構造を有する。本体部６２０は、上枠３２の見込面よりも、下方に突出して配置される。本体部６２０が下方に突出することにより、戸体１０が閉じられたときに、戸体１０の上端部に対向して配置される。
【００３８】
係止爪６２１は、上枠３２の戸当たり溝３２２に挿入されて係止可能な一対の凸部である。係止爪６２１は、本体部６２０の上方に向かって突出するように形成され、一対の凸部のそれぞれが互いに離間し、向き合って配置される。係止爪６２１は、弾性変形可能に形成され、戸当たり溝３２２の一対の側壁部３２２ｂの内側に嵌まって当接し、上枠戸当たり６２を戸当たり溝３２２内に保持する。
【００３９】
本実施形態によれば、以下の効果が奏される。
本実施形態では、ドア１を、開口部に配置される枠材３及び枠材３の内側に開閉可能に取り付けられる戸体１０を含んで構成した。また、枠材３を、開口部の見込面内に沿って配置される平面部３１１と、平面部３１１に配置される縦枠戸当たり６１を取り付ける戸当たり溝３１２、を含んで構成した。また、縦枠戸当たり６１の見込方向に沿う内側面から連続して一方側に突出し、前記開口部の見込面における一方側の面との間に見込壁パネル５５０を配置可能な壁板被覆部６１３を、縦枠戸当たり６１に含んで構成した。壁板被覆部６１３が縦枠戸当たり６１の見込方向に沿う内側面から連続して形成され、一方側に突出することで、縦枠戸当たり６１の一方側の端部が、縦枠３１の一方側の端部を隠すことになる。このため、縦枠戸当たり６１自体が縦枠３１のように見える。縦枠３１の一方側と他方側の端部の間に縦枠戸当たり６１を配置する場合と比べると、枠として視認される線が一本減ることになる。よって、縦枠戸当たり６１が目立たなくなり、意匠性の向上した室内建具を提供することができる。
【００４０】
また、本実施形態では、枠材３に、平面部３１１から延出して壁板被覆部６１３と反対の見込方向の他方側に突出する突出部３１５ａを含んで構成した。平面部３１１から突出部３１５ａが突出することで、突出部３１５ａの裏面に壁パネル５３０を配置させることができるので、枠材３と開口部との間に一体感が生じ、意匠性に優れる。
【００４１】
また、本実施形態では、壁板被覆部６１３の一方側の端部を、開口部の見込面に向かって屈曲し、開口部の見込面に配置される見込壁パネル５５０に対面する壁板被覆部側屈曲部６１３ｂを含んで構成した。壁板被覆部６１３が壁板被覆部側屈曲部６１３ｂを有していることで、縦枠戸当たり６１の一方側の端部と、柱２１等の躯体の見込面の一方側の端部との間に見込壁パネル５５０等の板材を配置する空間ができる。このため、柱２１の厚さや開口部の諸条件に応じて、柱２１からの枠材３の距離を調整することができ、施工性が向上する。
【００４２】
また、本実施形態では、戸当たり溝３１２を、枠材３の長手方向に沿って形成される溝部により構成した。縦枠戸当たり６１や上枠戸当たり６２を、戸当たり溝３１２に嵌め込むことで設置できるため、施工が容易になる。
【００４３】
また、本実施形態では、室内建具を、上下方向に延びる一対の縦枠３１と、縦枠３１に取り付けられて開閉される戸体１０と、を有する室内用のドアにより構成した。これにより、室内ドアの意匠性を向上させることができる。
【００４４】
以上、本発明の好ましい実施形態について説明したが、本発明は、上述の実施形態に制限されるものではなく、適宜変更が可能である。
図４は他の実施形態に係る縦枠３１の納まりを示す図である。具体的には、縦枠３１は入隅納まりにより配置されている。
図４に示すように、入隅納まりにおいて、縦枠３１の形状は、平納まりの場合と同様である。入隅納まりの場合、壁パネル５３０が縦枠３１の一方側及び他方側の両方において見込方向に延びている。入隅納まりの場合、戸先側では、戸体１０が開閉されるときに、壁パネル５３０が干渉しないように、開口部の見込面に合板のかい木５１１を配置し、縦枠３１を見込方向内側に底上げしている。また、縦枠３１の突出部側屈曲部３１５ｂの裏側には、化粧板５１２を見付方向に配置している。
【００４５】
入隅納まりでは、縦枠戸当たり６１の壁板被覆部側屈曲部６１３Ｂは、平納まりの場合と比べて見付方向の長さ（高さ）が大きく構成されている。壁板被覆部側屈曲部６１３Ｂの高さ寸法は、適宜設定されてよい。壁板被覆部側屈曲部６１３Ｂは、縦枠３１の戸当たり溝３１２における側壁部３１２ｂと見込方向で重なるように位置している。壁板被覆部６１３の側壁部３１２ｂと見込方向で重なる面の寸法を調整することで、見込壁パネル５５０の厚さや、柱２１との距離の調節をするように対応が可能になる。
【００４６】
また、図４に示すように、入隅納まりでは、壁板被覆部６１３は、壁板被覆部内側面６１３ａに沿って壁板被覆部内側面６１３ａの見込壁パネル５５０側に形成されるホロー構造と、壁板被覆部側屈曲部６１３Ｂに沿って壁板被覆部側屈曲部６１３Ｂの縦枠３１側に形成されるホロー構造と、の二つのホロー構造で形成されている。そして、壁板被覆部側屈曲部６１３Ｂの縦枠３１側に形成されるホロー構造の見込壁パネル５５０に対向する面が、壁板被覆部外側面６１３Ｃとなっている。壁板被覆部外側面６１３Ｃは、見込壁パネル５５０に近接する。
【００４７】
このように、本発明の範囲内で、開口部を構成する壁５３や躯体２の構成、配置に合わせて、室内用のドアの意匠性を向上させることができる。
【００４８】
図５は、上枠３２の垂れ壁納まりを示す。垂れ壁納まりで使用される上枠３２は、平納まりの実施形態で説明した上枠３２と同様である。垂れ壁の開口部においても、縦枠３１及び縦枠戸当たり６１に本発明の室内建具を用いることで、平納まりのドアと同様に意匠性を向上できる。
【００４９】
また、枠材の各構成部品の形状及び材質は、上記述べ、図示する形状に限定されない。例えば、枠材の構成部品が樹脂で形成される場合には、強度を確保するためホロー構造で構成することが好ましいが、縦枠、上枠、縦枠戸当たり、上枠戸当たりは、アルミ材で形成してもよい。その場合、必要な強度が確保されれば、ホロー構造でなくてもよい。
【符号の説明】
【００５０】
１  ドア（室内建具）
３  枠材
１０  戸体
５５  見込壁パネル（壁板）
６１  縦枠戸当たり（戸当たり）
３１１  平面部（枠材見込面）
３１２  戸当たり溝（凹部）
３１５ａ  突出部
３１５ｂ  突出部側屈曲部
５３０  壁パネル（壁板）
６１３  壁板被覆部
６１３ｂ  壁板被覆部側屈曲部
【図１】
2019148148.tif 000003
【図２】
2019148148.tif 000004
【図３】
2019148148.tif 000005
【図４】
2019148148.tif 000006
【図５】
2019148148.tif 000007